(57)【要約】      （修正有）【課題】指針の回転測定と数字盤の画像撮影などの機能を同時に備え、２つの機能によってさらに使用水量示度を推定し、２つの機能は、互いの欠点を補うこともできる水道メーター監視装置を提供する。【解決手段】水道メーター監視装置１であって、本体１０、センサ２０、撮像モジュール３０、通信モジュール４０及びマイクロコントローラー５０を含む。本体は、水道メーターに取り付けられる。センサ、撮像モジュール、通信モジュール及びマイクロコントローラーは、本体に設けられる。センサは、金属片の回転回数を検知し、指針の回転回数を間接的に取得し、指針の回転回数情報を取得する。撮像モジュールは、数字盤の画像を撮影し、示度画像情報を取得する。マイクロコントローラーは、受信した指針の回転回数情報と示度画像情報をもう１つの水道メーター監視装置の通信モジュール及び／又はサーバを通信モジュールを介して伝送する。【選択図】図２
0003234955.tif 000002
【実用新案登録請求の範囲】
【請求項１】
水道メーター監視装置であって、
水道メーターに取り付けられる本体と、
該本体内に設けられ、該水道メーターの金属片の回転回数を検知し、該水道メーターの指針の回転回数を間接的に取得し、指針の回転回数情報を取得するセンサと、
該本体内に設けられ、該水道メーターの数字盤の画像を撮影し、示度画像情報を取得する撮像モジュールと、
該本体内に設けられ、もう１つの水道メーター監視装置の通信モジュールと接続し、及び／又は、サーバと接続する通信モジュールと、
該本体内に設けられ、該センサ、該撮像モジュール及び該通信モジュールに電気的に接続されるマイクロコントローラであって、該センサは、該指針の回転回数情報を該マイクロコントローラに伝送し、該撮像モジュールは、該示度画像情報を該マイクロコントローラに伝送し、該マイクロコントローラは、受信した該指針の回転回数情報及び該示度画像情報を該通信モジュールに伝送し、該通信モジュールは、受信した、識別子を含む該指針の回転回数情報及び該示度画像情報をもう１つの水道メーター監視装置の該通信モジュール及び／又は該サーバに伝送し、該サーバは、水道メーターデータ管理ユニット及び画像認識ユニットを含み、該水道メーターデータ管理ユニットは、指針の回転回数情報に基づいて使用水量示度を推定し、該画像認識ユニットは、示度画像情報に基づいて使用水量示度を推定し、該サーバは、各水道メーターの指針の回転回数情報及び示度画像情報のうちの少なくとも一方を、各水道メーターの使用水量示度計算の根拠として選択するマイクロコントローラと、を含む水道メーター監視装置。
【請求項２】
該本体に少なくとも１つのレンズ孔及び少なくとも１つのフラッシュ孔が開けられ、該撮像モジュールは、少なくとも１つのレンズ及び少なくとも１つのフラッシュを含み、該少なくとも１つのレンズは、該少なくとも１つのレンズ孔に面しており、該少なくとも１つのフラッシュは、該少なくとも１つのフラッシュ孔に面している、請求項１に記載の水道メーター監視装置。
【請求項３】
該本体は、環状壁を含み、該環状壁は、艶無し面、及びユーザーが該水道メーターの該数字盤を視認するための透明窓を有し、透光可能であり、該本体は、該本体にスライド可能に設けられ開位置と閉位置の間に変位するカバーを含み、該カバーは、該閉位置にある場合、該環状壁を完全に遮蔽し、該開位置にある場合、該環状壁を遮蔽していない、請求項２に記載の水道メーター監視装置。
【請求項４】
該通信モジュールは、該サーバと接続する無線通信ユニットを含み、該無線通信ユニットの通信方式は、４Ｇ、５Ｇ、長距離ワイドエリアネットワーク（ＬｏＲａＷＡＮ）、狭帯域モノのインターネット（Ｎａｒｒｏｗ  Ｂａｎｄ  Ｉｎｔｅｒｎｅｔ  ｏｆ  Ｔｈｉｎｇｓ、ＮＢ−ＩｏＴ）又は、無線ネットワークである、請求項１に記載の水道メーター監視装置。
【請求項５】
該通信モジュールは、自動ネットワーキングモード及び手動ネットワーキングモードを有する無線ＲＦユニットを含み、該無線ＲＦユニットは、自動ネットワーキングモードに設定される場合、複数の水道メーター監視装置のうちの１つの該無線ＲＦユニットと自動でランダムに接続し、該無線ＲＦユニットは、手動ネットワーキングモードに設定される場合、最も近い多くとも２つの水道メーター監視装置の該無線ＲＦユニットに接続するように手動で設定される、請求項１に記載の水道メーター監視装置。
【請求項６】
該本体に少なくとも２つの収容槽が開けられ、該センサ、該通信モジュール及び該マイクロコントローラは、１つの回路基板に統合され、且つ１つの収容槽内に設けられ、該撮像モジュールは、もう１つの回路基板に統合され、且つもう１つの収容槽内に設けられ、該水道メーター監視装置は、収容部に覆設されることでこれらの収容槽を密閉する蓋体をさらに含む、請求項１に記載の水道メーター監視装置。
【請求項７】
該本体は、少なくとも１つの第１係合部を有し、該水道メーターは、少なくとも１つの第２係合部を有し、該少なくとも１つの第１係合部は、該少なくとも１つの第２係合部に着脱可能に係合される、請求項１に記載の水道メーター監視装置。
【請求項８】
該本体には、該水道メーターの表示部の表面の曇りを除去するための少なくとも１つの換気口が開けられる、請求項１に記載の水道メーター監視装置。
【請求項９】
該本体内に設けられ、該マイクロコントローラに電気的に接続されるバッテリーをさらに含み、該マイクロコントローラは、待機モード及び起動モードを有し、該マイクロコントローラは、該水道メーターの該金属片の回転が停止することが該センサにより検知された場合、該指針の回転回数情報を受信しておらず、該待機モードに切り替わり、さらに該撮像モジュール及び該通信モジュールの動作を停止するように制御し、該水道メーターの該金属片の回転が開始することが該センサにより検知された場合、該指針の回転回数情報を受信すると、直ちにウェイクアップされ、該起動モードに切り替わり、さらに該撮像モジュール及び該通信モジュールの動作を開始するように制御する、請求項１に記載の水道メーター監視装置。
【請求項１０】
該サーバは、該指針の回転回数情報及び該示度画像情報に基づいて使用水量示度を推定した後、各水道メーターの指針の回転回数情報と示度画像情報を比較し、該指針の回転回数情報及び該示度画像情報により取得された使用水量示度の誤差が１％を超える場合、警報信号を該サーバの管理者に伝送する、請求項１に記載の水道メーター監視装置。
【考案の詳細な説明】
【技術分野】
【０００１】
本考案は、水道メーター監視装置、特に指針の回転測定と数字盤の画像撮影などの機能を同時に備える水道メーター監視装置に関する。
【背景技術】
【０００２】
一般的な機械式水道メーターは、ハウジング、計測装置及び表示部を含む。ハウジングの両端がそれぞれ入水管及び出水管に接続される。計測装置は、ハウジング内に設けられ、ハウジングを流れた水量を計量する。表示部は、ハウジング上に設けられ、数字盤、指針及び金属片を含む。数字盤は、計測装置に接続され、計測装置によって駆動されて回転し、それによって累積使用水量示度を表示する。指針は、計測装置に接続され、計測装置によって駆動されて回転する。金属片は、指針に設けられ、且つ指針とともに回転する。
【０００３】
周知の水道メーター監視装置は、ハウジング上に設けられ、磁気誘導方式で金属片の回転回数を検知し、指針の回転回数を間接的に取得し、指針の回転回数情報を取得し、指針の回転回数情報を集信装置に伝送する。集信装置は、さらに指針の回転回数情報をサーバに伝送し、サーバの水道メーターデータ管理ユニットは、指針の回転回数情報に基づいて使用水量示度を推定し、指針が正転又は逆転するか、或いは、単位時間内に連続的に回転するかを判断できる。指針が正転すると、正常に使用することを表し、指針が逆転すると、ユーザーがひそかに水道メーターを逆様に取り付けて水を盗むことを表し、指針が単位時間内に連続的に回転すると、水管が水を漏れることを表す。
【０００４】
しかし、現場の湿度、落雷又は人がわざと磁石を持って干渉することは、指針の回転に影響を与え、指針と計測装置の回転が不同期になり、さらに回転回数を多く計算する又は少なく計算する問題が発生し、水量示度で計算するため誤差が生じ、それにより、水道料金を多くチャージ又は少なくチャージしてしまう。
【０００５】
上記課題を解決するために、市場で、別の水道メーター監視装置が出回っており、この水道メーター監視装置は、水道メーターの数字盤の画像を撮影し、示度画像情報を取得し、示度画像情報を集信装置に伝送する撮像モジュールを有する。集信装置は、さらに、示度画像情報をサーバに伝送し、サーバの画像認識ユニットは、示度画像情報に基づいて使用水量示度を推定できる。撮影モジュールによって撮影された数字盤の画像は、現場湿度、落雷又は人がわざと磁石を持って干渉することにより影響されないため、計算された使用水量示度の精度が非常に高く、回転回数を多く計算する又は少なく計算する課題を解決する。
【０００６】
なお、撮像モジュールが毎回撮像するには、２０〜３０ｍＡの電流と１０秒の時間かかり、電力を多く消費する。この水道メーター監視装置が指針が正転又は逆転するか、或いは、単位時間内に連続的に回転するかを検知するには、撮像モジュールは連続的に撮像する必要がある。そうしなければ、画像認識ユニットは、数字盤の連続的画像に基づいて、指針が正転又は逆転するか、或いは、単位時間内に連続的に回転するかを検知できない。ただし、連続的に撮像するに、バッテリーの電力を非常に多く消費するため、バッテリーの電源が速く切れてしまい、水道水会社が人をユーザーの家に派遣してバッテリーを交換させる必要があり、そうでない場合は、バッテリーの電源が切れば、水道メーター監視装置が機能を失う。しかし、人的コストとバッテリーコストが驚くほど高い。従って、人的とバッテリーコストを節約するために、この水道メーター監視装置は、通常、一日に一回撮像し、単日の使用水量示度を推定するように限定されるが、連続的に撮像できず、従って、指針が正転又は逆転するか、或いは、単位時間内に連続的に回転するかを監視できず、水道水会社は、ユーザーが水を盗むか、又は、水管が水を漏れるかを把握することができない。
【０００７】
また、雨が降ると、水道メーターの表示部の表面に曇りが生じやすいため、撮像モジュールによって撮影された数字盤の画像が非常にぼやけ、画像認識ユニットが数字盤の画像を全く認識できなくなり、水量示度を用いて推定できなくなる。
【０００８】
また、晴れても、数字盤の数字が半分回転し、画像が撮影されるため、画像認識ユニットが数字盤の数字を全く認識できなくなる。
【０００９】
上記２つの水道メーター監視装置は、いずれも、集信装置を組み合わせる必要があるが、集信装置は、以下の複数の問題がある。
【００１０】
第１、集信装置にオペレーティングシステムを取り付ける必要があるため、集信装置の体積が非常に大きく、水道メーターに固定することができない。この課題を解決するために、水道水会社は、通常、壁を借りて集信装置を固定するためにユーザーと交渉する必要がある。しかし、、一部のユーザーが集信装置を固定する壁を水道水会社に貸したくないので、水道水会社とユーザーを大いに悩ませている。
【００１１】
第２、集信装置のオペレーティングシステムは非常に電力を消費し、一般的なバッテリーの電力は、集信装置の通常の動作に供給するのに十分ではない。この問題を解決するために、水道水会社は、通常、商用電力を借りるためにユーザーと交渉する必要があり、そうしなければ、集信装置は、通常の動作に十分な電力を有さない。しかし、商用電力を借りると、電気料金についてユーザーとの論争を引き起こしやすく、水道水会社とユーザーを大いに悩ませている。
【００１２】
第３、一般的な集信装置の費用が高価であるため、１つの集信装置は数百さらに数千の水道メーターの情報を収集でき、それによって各地域に設けられる集信装置の数を減らし、さらに集信装置の設置コストを削減し、建物の密集度が低い地域に適用される。しかし、建物の密集度が高い地域では、水道メーターは、通常、各フロアと地下室に配置され、無線ＲＦ信号が建物に干渉されやすく、各集信装置が収集できる指針の回転回数情報又は示度画像情報の効果は５０％未満である。
【００１３】
第４、上記２つの水道メーター監視装置の無線ＲＦユニットは、自動的にネットワーキングし、複数の水道メーターの水道メーター監視装置の複数の無線ＲＦユニットは、自動的かつランダムに相互に接続する。例えば、１階の水道メーター監視装置の無線ＲＦユニットは、２階の水道メーター監視装置の無線ＲＦユニットと自動的に接続せず、５０階の水道メーター監視装置の無線ＲＦユニットと自動的に接続する。このように自動的かつランダムに接続する方法は、複雑であり、効率が低く、無線ＲＦ信号が建物に干渉されやすいため不安定になり、建物の密集度が高い地域に適用されない。
【考案の概要】
【００１４】
本考案の主要目的は、指針の回転測定と数字盤の画像撮影などの機能を同時に備え、上記２つの機能の少なくとも１つによって、さらに使用水量示度を推定でき、２つの機能が互いの欠点を補うこともできる水道メーター監視装置を提供することができる。
【００１５】
本考案の他の目的は、水道メーター監視装置を提供することであり、マイクロコントローラーは、集信装置の機能を有し、オペレーティングシステムを取り付ける必要がないため、体積が本体内に設けられるほど小さく、待機モードと起動モードを提供し、マイクロコントローラーの低消費電量によって、バッテリーの耐用年数を延長させ、連続的に撮像するに十分な電力を有する。
【００１６】
また、本考案の水道メーター監視装置は、手動ネットワーキングモードによって無線ＲＦユニットの無線ＲＦ信号の伝送経路を制御でき、建物干渉の問題を減少させる。
【００１７】
また、本考案の水道メーター監視装置は、表示部の表面の曇りを除去でき、表示部の表面を明瞭にし、撮影された数字盤の画像が明瞭であることを確保する。
【００１８】
前記目的を実現するために、本考案は、本体、センサ、撮像モジュール、通信モジュール及びマイクロコントローラーを含む水道メーター監視装置を提供する。
【００１９】
本体は、水道メーターに取り付けられる。
【００２０】
センサは、本体内に設けられ、水道メーターの金属片の回転回数を検知し、水道メーターの指針の回転回数を間接的に取得し、指針の回転回数情報を取得する。
【００２１】
撮像モジュールは、本体内に設けられ、水道メーターの数字盤の画像を撮影し、示度画像情報を取得する。
【００２２】
通信モジュールは、該本体内に設けられ、もう１つの水道メーター監視装置の通信モジューと接続し、及び／又は、サーバと接続し、
マイクロコントローラーは、該本体内に設けられ、該センサ、該撮像モジュール及び該通信モジュールに電気的に接続され、該センサは、該指針の回転回数情報を該マイクロコントローラーに伝送し、該撮像モジュールは、該示度画像情報を該マイクロコントローラーに伝送し、該マイクロコントローラーは、受信した該指針の回転回数情報及び該示度画像情報を該通信モジュールに伝送し、該通信モジュールは、受信した、識別子を含む該指針の回転回数情報及び該示度画像情報をもう１つの水道メーター監視装置の該通信モジュール及び／又は該サーバに伝送し、該サーバは、水道メーターデータ管理ユニット及び画像認識ユニットを有し、該水道メーターデータ管理ユニットは、指針の回転回数情報に基づいて使用水量示度を推定し、該画像認識ユニットは、示度画像情報に基づいて使用水量示度を推定し、該サーバは、各水道メーターの指針の回転回数情報と示度画像情報の少なくとも一方を、各水道メーターの使用水量示度計算の根拠として選択する。
【図面の簡単な説明】
【００２３】
【図１】本考案の第１実施例の斜視図である。
【図２】本考案の第１実施例の分解図である。
【図３】本考案の第１実施例の本体の平面図である。
【図４】本考案の第１実施例の構造ブロック図である。
【図５】本考案の第１実施例が水道メーターに取り付けられる斜視図である。
【図６】本考案の第１実施例が水道メーターに取り付けられる分解図である。
【図７】本考案の第１実施例が金属片の回転回数を検知するブロック図である。
【図８】本考案の第１実施例の撮像模式図である。
【図９】本考案の第１実施例の撮像ブロック図である。
【図１０】本考案の第１実施例のカバーが開位置にある斜視図である。
【図１１】本考案の複数の第１実施例が建物の異なるフロアに設けられる模式図である。
【図１２】本考案の第２実施例の斜視図である。
【図１３】本考案の第２実施例の分解図である。
【図１４】本考案の第２実施例が水道メーターに取り付けられる斜視図である。
【図１５】本考案の第２実施例が水道メーターに取り付けられる分解図である。
【考案を実施するための形態】
【００２４】
図１〜図４を参照すると、それぞれ、本考案の第１実施例の斜視図、分解図、本体の平面図及び構造ブロック図である。図１〜図４に示すように、本考案は、水道メーター監視装置１は、本体１０、センサ２０、撮像モジュール３０、通信モジュール４０及びマイクロコントローラー（Ｍｉｃｒｏｃｏｎｔｒｏｌｌｅｒ  Ｕｎｉｔ、ＭＣＵ）５０を含む水道メーター監視装置１を提供する。センサ２０、撮像モジュール３０、通信モジュール４０及びマイクロコントローラー５０は、いずれも、本体１０内に設けられ、マイクロコントローラー５０は、センサ２０、撮像モジュール３０及び通信モジュール４０に電気的に接続される。通信モジュール４０は、もう１つの水道メーター監視装置１の通信モジュール４０と接続し、及び／又はサーバ１００と接続する（図７及び図９を参照）。
【００２５】
図５及び図６を参照すると、それぞれ本考案の第１実施例が水道メーター２００に取り付けられる斜視図及び分解図である。図５及び図６に示すように、水道メーター２００は、ハウジング２１０、計測装置（図示せず）及び表示部２２０を含む。ハウジング２１０の両端がそれぞれ入水管（図示せず）と出水管（図示せず）に接続される。計測装置は、ハウジング２１０内に設けられ、ハウジング２１０を流れた水量を計算する。表示部２２０は、ハウジング２１０に設けられ、数字盤２２１、指針２２２及び金属片２２３を含む。数字盤２２１は、計測装置に接続され、計測装置によって駆動されて回転し、累積使用水量示度を表示する。指針２２２は、計測装置に接続され、計測装置によって駆動されて回転する。金属片２２３は、指針２２２に設けられ且つ指針２２２とともに回転する。本体１０は、ハウジング２１０に取り付けられる。
【００２６】
図７を参照すると、図７は本考案の第１実施例で金属片２２３の回転回数を検知するブロック図である。図７に示すように、センサ２０は、磁気誘導方式で金属片２２３の回転回数を検知し、指針２２２の回転回数を間接的に取得し、指針の回転回数情報２０１を取得し、センサ２０は、指針の回転回数情報２０１をマイクロコントローラー５０に伝送し、マイクロコントローラー５０は、受信した指針の回転回数情報２０１を通信モジュール４０に伝送し、通信モジュール４０は、受信した指針の回転回数情報２０１をサーバ１００に伝送する。サーバ１００の水道メーターデータ管理ユニット１１０は、指針の回転回数情報２０１に基づいて使用水量示度を推定し、指針２２２が正転又は逆転するか、或いは単位時間内に連続的に回転するかを判断し、すなわち、金属片２２３が指針２２２とともに回転するとき、センサ２０によって検知された電界強度は、金属片２２３とセンサ２０の距離に応じて所定の関係を有し、従って、正転又は逆転するかを推定することができる。指針２２２が正転すると、通常に使用することを表し、指針２２２が逆転すると、ユーザーがひそかに水道メーター２００を逆さまに取り付けて水を盗むことを表す。また、通常に水を用い、例えば、一般的に、歯を磨いたり、顔を洗ったり、果物を洗ったり、皿を洗ったりすると、通常、１〜２分続き、浴槽に水を入れても、長くとも１０分かかり、連続的に長時間水を使用する可能性が非常に低く、従って、指針２２２が単位時間内に連続的に回転する（例えば、３０分以上連続的に回転する）と、水管が水を漏れることを表すように設定することができる。
【００２７】
図８及び図９を参照すると、それぞれ本考案の第１実施例の撮像模式図及び撮像ブロック図である。図８及び図９に示すように、撮像モジュール３０は、数字盤２２１の画像を撮影し、示度画像情報３０１を取得し、撮像モジュール３０は、示度画像情報３０１をマイクロコントローラー５０に伝送し、マイクロコントローラー５０は、受信した示度画像情報３０１を通信モジュール４０に伝送し、通信モジュール４０は、受信した示度画像情報３０１をサーバ１００に伝送する。サーバ１００の画像認識ユニット１２０は、示度画像情報３０１に基づいて使用水量示度を推定する。
【００２８】
それによって、本考案の水道メーター監視装置１は、指針の回転測定と数字盤の画像撮影などの機能を同時に備え、上記２つの機能のうちの少なくとも１つによって、さらに使用水量示度を推定することができる。
【００２９】
また、現場の湿度、落雷又は人がわざと磁石を持って干渉するなどの要素のため、指針２２２の回転に影響を与え、指針２２２と計測装置の回転が不同期になり、さらにセンサ２０によって取得された指針の回転回数情報２０１と指針の実際の回転回数とに誤差が生じる一方、数字盤２２１の画像が現場の湿度、落雷又は人がわざと磁石を持って干渉するなどの要素により影響されず、従って、サーバ１００の画像認識ユニット１２０は、示度画像情報３０１に基づいて使用水量示度を推定でき、精度が非常に高く、センサ２０の未満を補う。
【００３０】
また、ハウジング２１０の表面に曇りが生じ、数字盤２２１の数字が半分回転する又はその他の要素のため、数字盤２２１の画像が不明瞭になり、撮像モジュール３０は、明瞭な示度画像情報３０１を取得できず、このとき、サーバ１００の水道メーターデータ管理ユニット１１０は、指針の回転回数情報２０１に基づいて使用水量示度を推定し、指針２２２が正転又は逆転するか、或いは単位時間内に連続的に回転するかを判断することができ、撮像モジュール３０の欠陥を補う。
【００３１】
また、サーバ１００の水道メーターデータ管理ユニット１１０は、指針の回転回数情報２０１に基づいて、指針２２２が逆転するか、或いは、単位時間内に連続的に回転するかを判断し、サーバ１００の画像認識ユニット１２０は、自動的に示度画像情報３０１に基づいて使用水量示度を推定する。
【００３２】
また、サーバ１００は、指針の回転回数情報２０１及び示度画像情報３０１に基づいて使用水量示度を推定した後、各水道メーターの指針の回転回数２０１及び示度画像情報３０１をそれぞれ比較し、万が一指針の回転回数情報２０１及び示度画像情報３０１により取得された使用水量示度の誤差が１％を超える場合、サーバ１００は、４Ｇ、ＮＢ−ＩＯＴ又はイーサネットを介して警報信号を該サーバ１００の管理者（例えば、水道水会社）に伝送し、水道水会社は、示度画像情報３０１の使用水量示度に基づいて手動で推定する。
【００３３】
さらに、本考案の水道メーター監視装置１は、集信装置の機能を有し且つオペレーティングシステムを取り付ける必要がないマイクロコントローラー５０を用い、指針の回転回数情報２０１及び示度画像情報３０１を受信して伝送し、マイクロコントローラー５０は、体積が小さく、消費電量が低く、製造コストが低いなどの利点を有し、本体１０に設けることができ、ユーザーから壁を借りる必要がない。
【００３４】
だたし、本考案の水道メーター監視装置１は、機械式水道メーター２００に取り付けることができ、機械式水道メーター２００の低い故障率の利点を有するほか、本考案の水道メーター監視装置１は、指針の回転回数測定と示度画像の撮影など、電子式水道メーターが有する機能をさらに提供し、新規かつ実用である。
【００３５】
図２〜図４に示すように、水道メーター監視装置１は、本体１０内に設けられる、マイクロコントローラー５０に電気的に接続されるバッテリー６０をさらに含む。バッテリー６０は、マイクロコントローラー５０に直接給電し、マイクロコントローラー５０を介してセンサ２０、撮像モジュール３０及び通信モジュール４０に給電することができる。マイクロコントローラー５０は、待機モード５１及び起動モード５２を有する。マイクロコントローラー５０は、金属片２２３の回転を停止したことがセンサ２０により検知された場合、指針の回転回数情報２０１を受信しておらず、待機モード５１に切り替え、さらに撮像モジュール３０と通信モジュール４０の動作を停止するように制御する。マイクロコントローラー５０は、金属片２２３の回転が開始することがセンサ２０により検知された場合、指針の回転回数情報２０１を受信すると、直ちにウェイクアップされ、起動モード５２に切り替わり、撮像モジュール３０と通信モジュール４０の動作を開始するように制御する。
【００３６】
それによって、本考案の水道メーター監視装置１は、水がハウジング２１０を流れている場合のみ、起動状態に入り、指針２２２の回転測定と数字盤２２１の画像撮影などの機能を開始し、水がハウジング２１０を流れない場合、待機状態に入り、電力の消費を減少させ、マイクロコントローラー５０の低い消費電量の機能を組み合わせ、節電の効果を実現し、バッテリー６０の耐用年数を延長させることができ、ユーザーから商用電力を借りる必要がなく、水道水会社が人をユーザーの家へ派遣してバッテリー６０を交換させる必要がなく、人的コストとバッテリー６０のコストを節約する。
【００３７】
また、本考案の水道メーター監視装置１は、水がハウジング２１０を流れている場合のみ、起動状態に入り、撮像モジュール３０は、数字盤２２１の画像を撮影し始め、従って、バッテリー６０は、撮像モジュール３０に十分な電力を供給して連続的に撮像タスクを行わせ、十分な示度画像情報３０１を画像認識ユニット１２０に提供させる。
【００３８】
他の実施例では、水道メーター監視装置１は、電気接続部（図示せず）をさらに含み、電気接続部は、マイクロコントローラー５０に電気的に接続され、電源線及びプラグを有する。プラグは、商用電力に挿設され、電源線を介してマイクロコントローラー５０に給電し、マイクロコントローラー５０を介してセンサ２０、撮像モジュール３０及び通信モジュール４０に給電する。よって、本考案の水道メーター監視装置１は、節電できるため、ユーザーが商用電力を借りる要望を高めることができ、従って、作動際に必要な電力を取得するために、電気接続部を介して商用電力に接続してもよい。
【００３９】
図２及び図３に示すように、本体１０は、複数の収容槽が開けられる収容部１１を含み、該当収容槽は、それぞれ制御槽１１１、バッテリー槽１１２及び撮像槽１１３として画定され、センサ２０、通信モジュール４０及びマイクロコントローラー５０は、回路基板７０に統合され、且つ制御槽１１１に設けられ、バッテリー６０は、バッテリー槽１１２に設けられ、撮像モジュール３０は、もう１つの回路基板７１に統合され、且つ撮像槽１１３内に設けられる。図１及び図２に示すように、水道メーター監視装置１は、蓋８０をさらに含み、蓋８０は、収容部に覆設されることで、制御槽１１１、バッテリー槽１１２及び撮像槽１１３を密閉し、センサ２０、通信モジュール４０、マイクロコントローラー５０、バッテリー６０、撮像モジュール３０を保護する効果を果たす。万が一センサ２０、通信モジュール４０、マイクロコントローラー５０、バッテリー６０又は撮像モジュール３０が故障すると、蓋８０を開ければ、故障した部材を取り出して新しい部材を交換することができ、メンテナンスの効果を実現する。
【００４０】
図２及び図４に示すように、撮像槽１１３の底部に複数のレンズ孔１１３１及び複数のフラッシュ孔１１３２が開けられ、撮像モジュール３０は、複数のレンズ３１及び複数のフラッシュ３２を含み、該当レンズ３１は、それぞれ、該当レンズ孔１１３１に面しており、該当フラッシュ３２は、該当フラッシュ孔１１３２に面している。図８及び図９に示すように、該当フラッシュ３２の光源は、該当フラッシュ孔１１３２を通過して表示部２２０に照射することができ、該当レンズ３１は、該当レンズ孔１１３１を通過し、光源が十分な環境で数字盤２２１の画像を撮影することができる。
【００４１】
図１〜図３に示すように、本体１０は、環状壁１２及びカバー１３を含み、環状壁１２は、透光可能であり、艶無し面１２１及び透明窓１２２を有し、カバー１３は、本体１０にスライド可能に設けられ、開位置と閉位置の間に変位する。図５及び図８に示すように、カバー１３が閉位置にある場合、カバー１３が環状壁１２を完全に遮蔽し、それにより、外部の光が環状壁１２を通過して本体１０の内部に入ることができず、外部の光が干渉するため反射問題が生じることにより引き起こされる、該当レンズ３１によって撮影された数字盤２２１の画像が十分に明瞭ではないことを回避する。図１０に示すように、カバー１３が開位置にある場合、カバー１３が環状壁１２を遮蔽していないため、外部の光が環状壁１２を通過して本体１０の内部に入ることができ、ユーザーが透明窓１２２を透過して数字盤２２１を視認でき、それによって、現在の累積使用水量示度を取得することができる。
【００４２】
好ましくは、図１〜図３に示すように、本体１０は、固定部１４を含み、固定部１４は、撮像槽１１３の外側に周設され、複数の貫通溝１４１が開けられ、その両端にそれぞれ２つのスライドレール１４２が形成され、環状壁１２の頂面に複数のフック部１２３が突設され、該当フック部１２３は、該当貫通溝１４１を貫通して固定部１４をかけ、バッテリー槽１１２の両側にそれぞれ２つのスライドレール１４２が突設され、カバー１３は、環状であり、カバー１３の頂壁の内側に複数の係止溝１３１が開けられ、カバー１３の両端にそれぞれ２つのシュート１３２が凹設される。該２つのスライドレール１４２が該２つのシュート１３２に対応することで、カバー１３が環状壁１２に対して開位置と閉位置との間に変位することができる。図８に示すように、カバー１３が閉位置に位置する場合、該当フック部１２３がそれぞれ該当係止溝１３１に位置する。図１０に示すように、カバー１３が開位置に位置する場合、該当フック部１２３がそれぞれ該当係止溝１３１から離脱する。
【００４３】
図１〜図３に示すように、本体は、取り付け部１５及び複数の第１係合部１６を含み、取り付け部１５は、環状壁１２の下方に設けられ、環状壁１２とともに内部空間１５１を構成し、該当第１係合部１６は、取り付け部１５の外側に突設される。図６に示すように、水道メーターは、ハウジングの外側に突設される複数の第２係合部２３０を有する。図５に示すように、該当第１係合部１６は、該当第２係合部２３０に着脱可能に係合される。図８及び図９に示すように、該当フラッシュ３２の光源は、該当フラッシュ孔１１３２と内部空間１５１を順に通過して表示部２２０に照射することができ、該当レンズ３１は、該当レンズ孔１１３１と内部空間１５１を透過し、光源が十分な環境で数字盤２２１の画像を撮影することができる。
【００４４】
図２及び図４に示すように、通信モジュール４０は、無線通信ユニット４１及び無線ＲＦユニット４２を含み、当然ながら、実現可能な他の実施例では、異なる通信モジュール４０間の情報伝送方式は、有線伝送に変わってもよい。本実施例では、無線通信ユニット４１は、サーバ１００と接続し、無線通信ユニット４１の通信方式は、４Ｇ、５Ｇ、長距離ワイドエリアネットワーク（ＬｏＲａＷＡＮ）、狭帯域モノのインターネット（Ｎａｒｒｏｗ  Ｂａｎｄ  Ｉｎｔｅｒｎｅｔ  ｏｆ  Ｔｈｉｎｇｓ、ＮＢ−ＩｏＴ）又はワイヤレスネットワーク（例えば、Ｗｉ−Ｆｉ）である。無線ＲＦユニット４２は、自動ネットワーキングモード４２１及び手動ネットワーキングモード４２２を有する。図７及び図９に示すように、無線ＲＦユニット４２は、自動ネットワーキングモード４２１に設定される場合、複数の水道メーター監視装置１のうちの１つの無線ＲＦユニット４２と自動でランダムに接続し、無線ＲＦユニット４２は、手動ネットワーキングモード４２２に設定される場合、最も近い多くとも２つの水道メーター監視装置１の無線ＲＦユニット４２に接続するように手動で設定される。
【００４５】
水道メーター２００が建物の密集度が低い地域に設けられると、無線ＲＦユニット４２は、自動ネットワーキングモード４２１に設定されることに適する。水道メーター２００が建物の密集度が高い地域に設けられると、無線ＲＦユニット４２は、手動ネットワーキングモード４２２に設定されることに適する。
【００４６】
図１１を参照すると、図１１は、本考案の複数の第１実施例が建物の異なるフロアに設けられる模式図である。図１１に示す建物は、密集度が高い地域に位置し、無線ＲＦ信号が建物による干渉を受けやすく、このとき、複数の水道メーター監視装置１の複数の無線ＲＦユニット４２を全て手動ネットワーキングモード４２２に設定し、すなわち、まず各水道メーター監視装置１の通信モジュール４０において、各水道メーター監視装置１間の接続関係を定義するが、各水道メーター監視装置１によって測定された該指針の回転回数情報２０１及び該示度画像情報３０１がそれぞれ、対応する識別子を含み、そのうち１つの通信モジュール４０は、他の水道メーター検出装置１の通信モジュール４０によって伝送され識別子を含む指針の回転回数情報２０１及び示度画像情報３０１を受信することができ、さらに、そのうち１つの通信モジュール４０は、受信した、識別子を含むすべての指針の回転回数情報２０１及び示度画像情報３０１を該サーバ１００に伝送することができる。図１１に示すように、高いフロアに位置する該当水道メーター監視装置１は、その無線ＲＦユニット４２を介して、高いフロアに位置する複数の水道メーター２００の指針の回転回数情報２０１及び示度画像情報３０１を中間フロアに位置する１つの水道メーター監視装置１の無線ＲＦユニット４２まで順に下へ転送することができる。低いフロアに位置する該当水道メーター監視装置１は、その無線ＲＦユニット４２を介して、低いフロアに位置する該当水道メーター２００の指針の回転回数情報２０１及び示度画像情報３０１を中間フロアに位置する１つの水道メーター監視装置１の無線ＲＦユニット４２まで順に上へ転送することができる。中間フロアに位置する１つの水道メーター監視装置１の無線通信ユニット４１は、受信したすべての水道メーター２００の指針の回転回数情報２０１及び示度画像情報３０１をサーバ１００の水道メーターデータ管理ユニット１１０と画像認識ユニット１２０に伝送し、サーバ１００は、各識別子を認識した後、各水道メーター２００の各々の指針の回転回数情報２０１及び示度画像情報３０１を認識でき、さらに該サーバ１００は、各水道メーター２００の指針の回転回数情報２０１及び示度画像情報３０１の少なくとも一方を、各水道メーター２００使用水量示度計算の根拠として選択することができる。
【００４７】
それにより、該当水道メーター監視装置１は、手動ネットワーキングモードによって該当無線ＲＦユニット４２の無線ＲＦ信号の伝送経路を制御でき、建物干渉の問題を減少させることができ、接続効率が高く且つ安定し、建物の密集度が高い地域に適する。
【００４８】
また、中間フロアに位置する１つの水道メーター監視装置１の通信モジュール４０が無線通信ユニット４１を有する限り、他のフロアの該当水道メーター監視装置１の通信モジュール４０が無線通信ユニット４１を有しなくてもよく、コストを削減する。
【００４９】
また、各マイクロコントローラー５０は、２０ほどの水道メーター２００の指針の回転回数情報２０１及び示度画像情報３０１を受信することができ、一般的な集信装置と比べられないが、マイクロコントローラー５０のコストが集信装置より遥かに低い。建物の密集度が高い地域では、水道メーター２００に本考案の水道メーター監視装置１を取り付ければ、一部の水道メーター監視装置１によって、該地域内のすべての水道メーター２００の指針の回転回数情報２０１及び示度画像情報３０１をまとめて受信することができ、全体コストが依然として１つの集信装置より遥かに安い。
【００５０】
図１２〜図１５を参照すると、それぞれ本考案の第２実施例の斜視図、分解図、水道メーター２００に取り付けられる斜視図、及び水道メーター２００に取り付けられる分解図である。第２実施例の水道メーター監視装置１Ａと第１実施例の水道メーター監視装置１の相違点は、第１〜第５である。第１、撮像槽１１３の外側には、表示部２２０の表面の曇りを除去し、表示部２２０の表面を明瞭にするための２つの換気口１１３３が開けられ、該当レンズ３１によって撮影された数字盤２２１の画像が十分に明瞭である。第２、制御槽１１１とバッテリー槽１１２が統合され、体積が減少される。第３、環状壁１２、カバー１３及び蓋８０を含まない。第４、撮像モジュール３０は、レンズ３１及びフラッシュ３２のみを含む。第５、取り付け部１５は、レンズ孔１１３１、フラッシュ孔１１３２及び切り欠き１５２が開けられる透明蓋であり、回路基板７０に切り欠き７１１が形成され、撮像槽１１３に埋込溝１１３４が設けられ、該当切り欠き１５２、７１１及び埋込溝１１３４は、第１係合部１６を構成し、水道メーター２００は、第２係合部２３０であるトリップを有する。これら以外に、第２実施例の他の技術的特徴は第１実施例と完全に同一であり、同一の効果を実現することができる。
【符号の説明】
【００５１】
１、１Ａ：水道メーター監視装置
１０、１０Ａ：本体
１１：収容部
１１１：制御槽
１１２：バッテリー槽
１１３：撮像槽
１１３１：レンズ孔
１１３２：フラッシュ孔
１１３３：換気口
１１３４：埋込溝
１２：環状壁
１２１：艶無し面
１２２：透明窓
１２３：フック部
１３：カバー
１３１：係止溝
１３２：シュート
１４：固定部
１４１：貫通溝
１４２：スライドレール
１５：取り付け部
１５１：内部空間
１５２：切り欠き
１６：第１係合部
２０：センサ
２０１：指針の回転回数情報
３０：撮像モジュール
３０１：示度画像情報
３１：レンズ
３２：フラッシュ
４０：通信モジュール
４１：無線通信ユニット
４２：無線ＲＦユニット
４２１：自動ネットワーキングモード
４２２：手動ネットワーキングモード
５０：マイクロコントローラー
５１：待機モード
５２：起動モード
６０：バッテリー
７０、７１：回路基板
７１１：切り欠き
８０：蓋
１００：サーバ
１１０：水道メーターデータ管理ユニット
１２０：画像認識ユニット
２００：水道メーター
２１０：ハウジング
２２０：表示部
２２１：数字盤
２２２：指針
２２３：金属片
２３０：第２係合部
【図１】
0003234955.tif 000003
【図２】
0003234955.tif 000004
【図３】
0003234955.tif 000005
【図４】
0003234955.tif 000006
【図５】
0003234955.tif 000007
【図６】
0003234955.tif 000008
【図７】
0003234955.tif 000009
【図８】
0003234955.tif 000010
【図９】
0003234955.tif 000011
【図１０】
0003234955.tif 000012
【図１１】
0003234955.tif 000013
【図１２】
0003234955.tif 000014
【図１３】
0003234955.tif 000015
【図１４】
0003234955.tif 000016
【図１５】
0003234955.tif 000017